(57)【要約】      （修正有）【課題】伸縮延長とコードリール収納機能を設える、壁面型延長式ポータブル機器充電器付コンセントを提供する。【解決手段】壁面上の固定殻台中に設置し、内部に収容設置空間３１０を形成する殻体３１を設置し、殻体３１表面には開口３１１及び係合手段を備え、収容設置空間３１０内部には回路板３２、３３、直流電源プラグ３４、充電用延長コード装置３５、第一ＵＳＢ接続ポート３６を備え、回路板３２、３３は回路モジュールを備え、直流電源プラグ３４は回路板３２、３３に電気的に連接する。また、開口３１１位置に対応して並び、充電用延長コード装置３５は充電用ケーブルを巻き取るコードリール機構３５１を備え、充電用ケーブル３５２の第一端は回路板３２、３３に電気的に連接し、第二端は開口３１１から殻体３１外へと通り抜け、第二ＵＳＢ接続プラグ３５３と接続し、第一ＵＳＢ接続ポート３６は開口３１１位置に設置し、回路板３２、３３と電気的に連接する。【選択図】図３
0003176970.tif 000002
【実用新案登録請求の範囲】
【請求項１】
壁面上の固定殻台中に設置し、内部に収容設置空間を形成する殻体を設置し、
前記殻体表面には、多数の開口、及び前記固定殻台に対応して定位する係合手段を備え、前記収容設置空間内部には、少なくとも１個の回路板、直流電源プラグ、充電用延長コード装置、少なくとも１個の第一USB接続ポートを備え、
前記回路板は、回路モジュールを備え、交流/直流電源変換機能を提供し、
前記直流電源プラグは、前記回路板に電気的に連接し、しかも前記開口位置に対応して並び、
前記充電用延長コード装置は、充電用ケーブルを巻き取るコードリール機構を備え、
前記充電用ケーブルの第一端は、前記回路板に電気的に連接し、前記充電用ケーブルの第二端は、前記開口から前記殻体外へと通り抜け、第二USB接続プラグ、
前記第一USB接続ポートは、前記開口位置に設置し、前記回路板と電気的に連接することを特徴とする壁面型延長式ポータブル機器充電器付コンセント。
【請求項２】
前記固定殻台は、壁内に嵌めて設置する内殻台、及び壁外側に位置する外殻台により構成することを特徴とする請求項１に記載の壁面型延長式ポータブル機器充電器付コンセント。
【請求項３】
前記外殻台は、前記下殻台に対応して接続する底板、及び前記底板頂点部に蓋をする蓋板を備えることを特徴とする請求項２に記載の壁面型延長式ポータブル機器充電器付コンセント。
【請求項４】
前記係合手段は、前記殻体両側において挟んで定位する複数の金属係合片、及び前記固定殻台上に位置し、前記金属係合片に対応して係合し固定する複数の溝を含むことを特徴とする請求項１に記載の壁面型延長式ポータブル機器充電器付コンセント。
【請求項５】
前記殻体には、相互に結合する１組の上殻体と下殻体を設置し、
前記第一USB接続ポート、及び前記第二USB接続プラグは、前記上殻体の異なる開口位置にそれぞれ結合し、
前記直流電源プラグは、前記下殻体の開口位置に結合することを特徴とする請求項１に記載の壁面型延長式ポータブル機器充電器付コンセント。
【請求項６】
前記固定殻台表面にはさらに、係合口を設置しこれにより前記第二USB接続プラグは、その中に係合されて収納されることを特徴とする請求項１に記載の壁面型延長式ポータブル機器充電器付コンセント。
【請求項７】
前記第一USB接続ポートと前記第二USB接続プラグは、USB、Mini USB、Micro USBの内の少なくとも１種のコネクタ規格であることを特徴とする請求項１に記載の壁面型延長式ポータブル機器充電器付コンセント。
【請求項８】
前記第一USB接続ポートは、USBプラグで、前記第二USB接続プラグは、Micro USBプラグであることを特徴とする請求項７に記載の壁面型延長式ポータブル機器充電器付コンセント。
【請求項９】
前記殻体内部にはさらに、少なくとも１個の発光部品を設置し、前記発光部品は、前記回路板に電気的に連接することを特徴とする請求項１に記載の壁面型延長式ポータブル機器充電器付コンセント。
【請求項１０】
前記発光部品には、LEDランプ、及び前記第一USB接続ポートに対応して嵌めて接続する導光カバーを設置することを特徴とする請求項９に記載の壁面型延長式ポータブル機器充電器付コンセント。
【考案の詳細な説明】
【技術分野】
【０００１】
本考案は壁面上に固定する殻台中に設置するUSB用延長充電器に関し、伸縮延長とコードリール収納機能を備える壁面型延長式ポータブル機器充電器付コンセントに関する。
【背景技術】
【０００２】
USB(Universal Serial Bus)は、1994年に発表された伝送規格である。
それは、プラグアンドプレイ(Plug & Play)とホットプラグ(Hot plugging)の仕様を備えているため、複雑なプログラム操作なしで、装置を移動したり抜くことができ、しかも、伝送速度は、他の伝送規格より速いため、使用上他の伝送規格より便利である。
【０００３】
そのため、今ではUSBは主流の伝送規格となっており、外付け式ハードディスク、プリンター、マウス、キーボードなど多くのコンピューターの周辺装置はほとんど、USBコネクターを用いてコンピューターとの接続を行っている。
しかも、USBにより、給電、通信、ディスプレー表示、オーディオ入力、データ保存などの各種周辺設備のコネクタは統一された。
【０００４】
近年、スマートフォン、MP3/4/5、タブレット型コンピューター、携帯型電源、カードリーダー、デジタルカメラなどバッテリーを利用して駆動するポータブルデバイスが増えている。
このタイプのポータブルデバイスは、一般に、コンピューターホストのUSB接続ポートに挿入して接続し充電機能を執行する。
もし、一般の家庭用交流電源に接続する必要がある場合には、電気ケーブルに、交流/直流電源の変換アダプターを設置し、交流電源コンセントに接続しなければならない。
【０００５】
しかし一般に使用者は、電気ケーブル及びプラグやコンセントの類を持ち歩いてはいない。
電気ケーブルや交流/直流電源の変換アダプターが手元にない状態で、ポータブルデバイスのバッテリーが切れても、一般の交流電源コンセント及びコンピューターのUSB接続ポートから、ポータブルデバイスを充電することはできない。
そのため、電気ケーブルや交流/直流電源の変換アダプターを常に持ち歩く必要が生じ、使用者にとっては非常な不便となっている。
本考案は、ポータブルデバイス充電の際の上記した欠点に鑑みてなされたものである。
【考案の概要】
【考案が解決しようとする課題】
【０００６】
本考案が解決しようとする第一の課題は、壁面の殻台中に、充電ケーブルの長さを延長でき、巻き取り収納する機能を備える延長式ポータブル機器充電器付コンセントを設置し、使用者は充電ケーブルを伸縮させ電子製品の充電を行うことができ、充電機器や接続線を持ち歩かなければ充電ができないという欠点を改善することができ、実用性を向上させることができる壁面型延長式ポータブル機器充電器付コンセントを提供することである。
本考案が解決しようとする第二の課題は、一般家庭交流電源コンセントのパネル規格に適合し、既存の交流電源コンセントに変えて、交流電源コンセントパネル中にそのまま組み合わせることができ、これにより、交流電源コンセントパネルに、他の設計により特殊な対応を行う必要がなくなり、全体的な使用の利便性を大幅に高めることができる壁面型延長式ポータブル機器充電器付コンセントを提供することである。
【課題を解決するための手段】
【０００７】
上記課題を解決するため、本考案は下記の壁面型延長式ポータブル機器充電器付コンセントを提供する。
壁面型延長式ポータブル機器充電器付コンセントは、壁面の固定殻台中に設置し、内部に収容設置空間を形成する殻体を設置し、
該殻体表面には、多数の開口、及び該固定殻台に対応して定位する係合手段を備え、
該収容設置空間内部には、少なくとも１個の回路板、直流電源プラグ、充電用延長コード装置、少なくとも１個の第一USB接続ポートを備え、
該回路板は、回路モジュールを備え、交流/直流/電源変換機能を提供し、
該直流電源プラグは、該回路板に電気的に連接し、しかも該開口位置に対応して並び、
該充電用延長コード装置は、充電ケーブルを巻き取るコードリール機構を備え、
該充電ケーブルの第一端は、該回路板に電気的に連接し、該充電ケーブルの第二端は、該開口から該殻体外へと通り抜け、第二USB接続プラグと接続し、
該第一USB接続ポートは、該開口位置に設置し、該回路板と電気的に連接し、
該固定殻台は、壁内に嵌めて設置する内殻台、及び壁外側に位置する外殻台により構成し、
該外殻台は、該下殻台に対応して接続する底板、及び該底板頂点部に蓋をする蓋板を備え、
該係合手段は、該殻体両側において挟んで定位する複数の金属係合片、及び該固定殻台上に位置し、該金属係合片に対応して係合し固定する複数の溝を含み、
該殻体には、相互に結合する１組の上殻体と下殻体を設置し、
該第一USB接続ポート、及び該第二USB接続プラグは、該上殻体の異なる開口位置にそれぞれ結合し、
該直流電源プラグは、該下殻体の開口位置に結合し、
該第一USB接続ポートと該第二USB接続プラグは、USB、Mini USB、Micro USBの内の少なくとも１種のコネクタ規格で、図示の実施例中では、該第一USB接続ポートは、USBプラグで、該第二USB接続プラグは、Micro USBプラグで、
該殻体内部にはさらに、少なくとも１個の発光部品を設置し、該発光部品は、該回路板に電気的に連接し、
該発光部品には、LEDランプ、及び該第一USB接続ポートに対応して嵌めて接続する導光カバーを設置し、
該固定殻台表面にはさらに、係合口を設置し、これにより該第二USB接続プラグは、その中に係合されて収納され、
本考案は充電用延長コード装置中にコードリール機構を設計し、これにより使用者が電子製品を接続し充電しようとする際には、充電ケーブルを外へと引くだけで、コードリール機構を回転させ引き出すことができ、
使用者が必要な長さまで延長し充電ケーブルを放すと、直ちに長さを固定でき、こうして電子製品に接続して充電することができ、
最後に、充電が完成し電子製品を取り外す時には、該殻体表面に露出するボタン機構を下方へと押すだけで、自動コードリール機構は弾性部品により、自動的に充電ケーブルを撒き戻り収納し、
こうして、充電機器や接続線がなくても電子製品に充電を行うことができるため、充電機器や接続線を常に持ち歩く必要がなくなり、
自動コードリール機構は、従来の充電機器接続線の収納が面倒であったという欠点を改善でき、
該殻体設計は、一般家庭用交流電源コンセントのパネル規格に適合し、既存の交流電源コンセントに変えて、交流電源コンセントパネル中にそのまま組み合わせることができ、
これにより、交流電源コンセントパネルに、他の設計により特殊な対応を行う必要がなくなり、全体的な使用の利便性を大幅に高めることができる。
【考案の効果】
【０００８】
本考案の壁面型延長式ポータブル機器充電器付コンセントは、壁上の殻台中に、充電ケーブルの長さを延長でき、巻き取り収納する機能を備える延長式ポータブル機器充電器付コンセントを設置し、使用者は充電ケーブルを伸縮させ電子製品の充電を行うことができ、充電機器や接続線を持ち歩かなければ充電ができないという欠点を改善することができ、実用性を向上させることができ、また一般家庭電源コンセントのパネル規格に適合し、既存の交流電源コンセントに変えて、交流電源コンセントパネル中にそのまま組み合わせることができ、これにより、交流電源コンセントパネルに、他の設計により特殊な対応を行う必要がなくなり、全体的な使用の利便性を大幅に高めることができる。
【図面の簡単な説明】
【０００９】
【図１】本考案第一実施例の立体図である。
【図２】図１の分解図である。
【図３】図２に示す延長式ポータブル機器充電器付コンセントの分解図である。
【図４】本考案伝送線と第二USB接続プラグが外へと長さを延伸する様子を示す模式図である。
【図５】本考案第二USB接続プラグが外へと延伸し携帯電話端末に接続する様子を示す模式図である。
【図６】使用者が延長式ポータブル機器充電器付コンセントのボタン機構を押し、充電ケーブルを巻き取る様子を示す模式図である。
【図７】本考案外殻台と蓋板との間を回して分離する様子を示す模式図である。
【図８】本考案第二実施例の立体図である。
【考案を実施するための形態】
【００１０】
以下に図面を参照しながら本考案を実施するための最良の形態について詳細に説明する。
【００１１】
図１、２に示すように、本考案第一実施例の壁面型延長式ポータブル機器充電器付コンセントは、一般家庭の壁面上の固定殻台１０中に設置する。
固定殻台１０は、壁内に嵌めて設置する内殻台１１、及び壁外側に位置する外殻台１２により構成する。
内殻台１１と外殻台１２との間には、交流電源を提供する交流電源コンセント２０、及び直流電源を提供する延長充電コネクタ３０を設置する。
図に示すように、延長充電コネクタ３０は、USB規格である。
【００１２】
図示の実施例中では、外殻台１２は、下殻台１１に対応して接続する底板１２１、及び底板１２１頂点部に蓋をする蓋板１２２を備える。
外殻台１２中央には、開口１２３を設置する。
開口１２３周辺には、金属係合片３１２に対応する溝１２０を形成する。
しかも、底板１２１片側辺位置の両端には、ピボット１２４をそれぞれ備える。
蓋板１２２表面には、係合口１２５を設置し、しかも内側面は、ピボット１２４に対応し、底板１２１に可動状に設置する。
こうして、一切の工具を用いずに、素手で蓋板１２２を開き、内部の交流電源コンセント２０を交換可能となる。
【００１３】
図３に示すように、本実施例中では、延長充電コネクタ３０には、内部に収容設置空間３１０を備える殻体３１を設置する。
殻体３１表面には、多数の開口３１１を備え、固定殻台１０定位の係合手段に対応する。
しかも、殻体３１は、金属係合片３１２を通して相互に結合する１組の上殻体３１３と下殻体３１４により、組成される。
上記した係合手段は、殻体３１両側において挟んで定位する複数の金属係合片３１２、及び外殻台１２上に位置する複数の溝１２０を含む。
【００１４】
収容設置空間３１０は内部に、第一回路板３２、第二回路板３３、直流電源プラグ３４、充電用延長コード装置３５、第一USB接続ポート３６、発光部品３７を備える。
第一回路板３２及び第二回路板３３はそれぞれ、交流/直流電源変換回路モジュール(図示なし)を備え、しかも収容設置空間３１０中央に垂直に設置する。
これにより、収容設置空間３１０を、２個のエリアに区画する。
【００１５】
直流電源プラグ３４は、第一回路板３２及び第二回路板３３に、電気的に連接し、しかも下殻体３１４の開口３１１位置に対応して排列する。
【００１６】
充電用延長コード装置３５は、直流電源プラグ３４とは、異なるエリアに位置し、伝送線３５２を巻き取るコードリール機構３５１を備える。
充電用ケーブル３５２の第一端は、第一回路板３２に電気的に連接する。
充電用ケーブル３５２の第二端は、上殻体３１３開口３１１から殻体３１外へと抜け出し、第二USB接続プラグ３５３と連接する。
【００１７】
第一USB接続ポート３６は、直流電源プラグ３４と同じエリアに位置し、上殻体３１３の開口３１１位置に設置し、第二回路板３３と電気的に連接する。
【００１８】
発光部品３７は、第二回路板３３に電気的に連接し、LEDランプ３７１、及び第一USB接続ポート３６に対応して嵌めて接続する導光カバー３７２を設置する。
LEDランプ３７１は、導光カバー３７２へと光を投射する。
導光カバー３７２がLEDランプ３７１の照射を受けると、導光カバー３７２構造全体はこれにより発光する。
【００１９】
直流電源プラグ３４が外部の電源コードに接続している時には、発光部品３７は、発光を継続し、電源の導通を表示する。
こうして、使用者は、延長充電コネクタ３０において、壁面型コンセントの電源が導通しているか否かを確認することができる。
但し、この部分は、便宜的に説明するだけで、第一USB接続ポート３６及び回路板の個数に制限を加えるものではない。
また、殻体３１内部では、単一回路板を採用し、充電用延長コード装置３５、及び第一USB接続ポート３６の給電をサポートすることができ、必要に応じて第一USB接続ポート３６を複数設置することもできる。
【００２０】
本考案の第一USB接続ポート３６と第二USB接続プラグ３５３は、USB、Mini USB、Micro USBの内の少なくとも１種のコネクタ規格である。
図示の実施例中では、第一USB接続ポート３６は、USBプラグで、第二USB接続プラグ３５３は、Micro USBプラグである。
【００２１】
図４に示すように、使用者が電子製品(携帯電話端末４０など)を接続し充電しようとする際には、充電用ケーブル３５２を外へと引くだけで、コードリール機構３５１を回転させ引き出すことができる。
使用者が必要な長さまで延長し充電用ケーブル３５２を放すと、コードリール機構３５１は、内部の係合メカニズムにより自ずから定位して動かなくなる。
こうして、携帯電話端末４０のコードリール機構３５１に接続して充電することができる。
【００２２】
図５に示すように、携帯電話端末４０が第二USB接続プラグ３５３に電気的に連接される時には、延長充電器コネクタ３０の回路モジュールにより、一般の交流電源は、携帯電話端末４０が必要な直流電源に変換される。
こうして、充電機器や接続コードを別に携帯しなくとも、携帯電話端末４０に充電を行うことができる。
【００２３】
さらに、本考案は、充電用延長コード装置３５を用い、充電用ケーブルを延伸して、電子製品に充電することができる。
また、図に示すように、第一USB接続ポート３６を、別の電子製品(デジタルカメラ４１など)に接続すれば、延長充電器コネクタ３０は、複数の電子製品に同時に充電することができる。
【００２４】
図６に示すように、最後に充電が完成し、携帯電話端末４０を取り外す時には、殻体３１表面に露出するコードリール機構３５１を下方へと押すだけでよい。
これにより、コードリール機構３５１は、それ自身の弾性回復力により、自動的に撒き戻り収納される。
こうして、充電機器や接続線がなくても電子製品に充電を行うことができるため、充電機器や接続線を常に持ち歩く必要がなくなり、しかも、自動コードリール構造の設計により、収納が不便であった従来の充電機器の接続線の欠点を改善することができる。
【００２５】
この他、充電用ケーブル３５２を引き出した後、コードリール機構３５１を不注意で接触し押してしまい、充電用ケーブル３５２が、自動的に撒き戻ってしまう状況の発生を回避するため、本考案のコードリール機構３５１は、コードリール機構３５１の露出したプッシュ部分を、下方へと押し引っ掛けることで、充電用ケーブル３５２を係合して固定するよう設計することができる。
この構造であれば、不注意で接触し押してしまっても、巻き戻し動作は発生しない。
【００２６】
図７に示すように、本考案の外殻台１２は、底板１２１ピボット１２４と蓋板１２２との間の可動状の接続を通して、蓋板１２２は、底板１２１において便利にめくり開けることができる。
これにより底板１２１と蓋板１２２との間には、収納空間を形成する。
収納空間中には、第二USB接続プラグ３５３の様式を改変する他のコネクタ変換アダプタを収納する。
こうして、延長充電器コネクタ３０は、各種さまざまな電子製品に適用することができる。
この他、使用者は、迅速に、上殻体３１３と下殻体３１４を分離し、内部の交流電源コンセント２０を交換することができる。
【００２７】
図８に示すように、本考案第二実施例の内殻台１１と外殻台１２との間には、USB充電コネクタ２１、延長充電コネクタ３０を設置する。
USB充電コネクタ２１及び延長充電コネクタ３０は共に、直流電源を供給するUSB規格である。
他の延長充電コネクタ３０構造はみな、第一実施例に示すものと同様であるため、再記述は行わない。
【００２８】
上記した二つの実施例により明らかなように、本考案の殻体３１設計は、一般家庭用交流電源コンセントのパネル規格に適合し、既存の交流電源コンセントに変えて、交流電源コンセントパネル中にそのまま組み合わせることができる。
これにより、交流電源コンセントパネルに、他の設計により特殊な対応を行う必要がなくなり、全体的な使用の利便性を大幅に高めることができる。
【００２９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００３０】
１０    固定殻台
１１    内殻台
１２    外殻台
１２０  溝
１２１  底板
１２２  蓋板
１２３  開口
１２４  ピボット
１２５  係合口
２０    交流電源コンセント
２１    USB充電コネクタ
３０    延長充電コネクタ
３１    殻体
３１０  収容設置空間
３１１  開口
３１２  金属係合片
３１３  上殻体
３１４  下殻体
３２    第一回路板
３３    第二回路板
３４    直流電源プラグ
３５    充電用延長コード装置
３５１  コードリール機構
３５２  充電用ケーブル
３５３  第二USB接続プラグ
３６    第一USB接続ポート
３７    発光部品
３７１  LEDランプ
３７２  導光カバー
４０    携帯電話端末
４１    デジタルカメラ
【図１】
0003176970.tif 000003
【図２】
0003176970.tif 000004
【図３】
0003176970.tif 000005
【図４】
0003176970.tif 000006
【図５】
0003176970.tif 000007
【図６】
0003176970.tif 000008
【図７】
0003176970.tif 000009
【図８】
0003176970.tif 000010